(57)【要約】【課題】  バックライト装置を複数の分割領域単位で駆動するにあたり、分割領域毎の光量バランスのずれによる表示画像の色むらの発生を防止する。【解決手段】  各色の発光ダイオード２１Ｒ，２１Ｇ，２１Ｂからの色の異なる光を混合してカラー液晶表示パネルに照射する光学的な領域Ａ１１〜Ａ４４に対応して設けられた発光ダイオードユニットＬＥＤＵ１１〜ＬＥＤＵ４４によりカラー液晶表示パネルを照明する。上記各領域Ａ１１〜Ａ４４に対応して採光部Ｗ１１〜Ｗ４４が設けられた光学的に透明で長尺な板状の光検出用導光板ＬＧＰ１〜ＬＧＰ４の長手方向の一方の端面に設けられた光量センサ部ＬＳ１〜ＬＳ４により、上記発光ダイオードユニットＬＥＤＵ１１〜ＬＥＤＵ４４における各色の光量を個別に順次検出し、上記発光ダイオードユニットＬＥＤＵ１１〜ＬＥＤＵ４４の各色の発光ダイオード２１Ｒ、２１Ｇ、２１Ｂに流す駆動電流の大きさを制御する。【選択図】        図３
2008010397.tif 000002
【特許請求の範囲】
【請求項１】
カラー表示パネルを背面側から照明するバックライト装置であって、
複数の単色光源からの色の異なる光を混合して上記カラー表示パネルに照射する複合光源からなり、上記複数の単色光源が任意の数毎にグルーピングされた光学的な領域を複数箇所有する光源部と、
上記光源部の上記光学的な領域を横断するように配置され、上記光学的な領域に対応して少なくとも１つの採光部が設けられた光学的に透明で長尺な板状の光検出用導光板と、
上記光検出用導光板の長手方向の少なくとも一方の端面に設けられた各色の光量センサと、
上記光学的な領域毎の光を上記各色の光量センサにより順次検出し、上記各色の光量センサによる検出出力に基づいて、上記光学的な領域毎に上記グルーピングされた上記複数の単色光源が出射する複数色の光の光量バランスを制御する制御手段と
を備えることを特徴とするバックライト装置。
【請求項２】
上記採光部は、上記光検出用導光板と長手方向と交差するように起立して設けられた全反射するための角度条件を満たさない起立面を有することを特徴とする請求項１記載のバックライト装置。
【請求項３】
上記採光部は、凹部形状に形成されていることを特徴とする請求項２記載のバックライト装置。
【請求項４】
上記採光部は、凸部形状に形成されていることを特徴とする請求項３記載のバックライト装置。
【請求項５】
上記採光部は、上記光学的な領域の所定の数毎に１つ設けられていることを特徴とすることを特徴とする請求項１記載のバックライト装置。
【請求項６】
上記採光部は、上記光学的な領域毎に設けられていることを特徴とする請求項１記載のバックライト装置。
【請求項７】
上記採光部は、上記光学的な領域の１つに対して複数設けられていることを特徴とする請求項１記載のバックライト装置。
【請求項８】
上記光学的な領域毎に分離する仕切壁を備え、
上記光検出用導光板が上記仕切壁を貫通して設けられていることを特徴とする請求項１記載のバックライト装置。
【請求項９】
上記光検出用導光板の長手方向の両端に設けられた各光量センサ部にそれぞれ各色の光量センサを備えることを特徴とする請求項１記載のバックライト装置。
【請求項１０】
上記制御手段は、上記光検出用導光板の長手方向を２等分して、遠方側に位置する上記グルーピングされた上記複数の単色光源が出射する複数色の光を検出するように、上記光検出用導光板の長手方向の両端に設けられた各光量センサ部にそれぞれ備えられた各色の光量センサを稼働して、上記光学的な領域毎の光を上記各色の光量センサにより順次検出し、上記各色の光量センサによる検出出力に基づいて、上記光学的な領域毎に上記グルーピングされた上記複数の単色光源が出射する複数色の光の光量バランスを制御することを特徴とする請求項１記載のバックライト装置。
【請求項１１】
上記制御手段は、上記光検出用導光板の長手方向を２等分して、近方側に位置する上記グルーピングされた上記複数の単色光源が出射する複数色の光を検出するように、上記光検出用導光板の長手方向の両端にそれぞれ設けられた各色の光量センサを稼働して、上記光学的な領域毎の光を上記各色の光量センサにより順次検出し、上記各色の光量センサによる検出出力に基づいて、上記光学的な領域毎に上記グルーピングされた上記複数の単色光源が出射する複数色の光の光量バランスを制御することを特徴とする請求項１記載のバックライト装置。
【請求項１２】
上記光検出用導光板には、上記各色の光量センサから離れるほど採光効率を高めた上記採光部が上記光学的な領域毎に設けられていることを特徴とする請求項１１記載のバックライト装置。
【請求項１３】
上記光学的な領域毎に形状を変えて上記採光効率を異ならしめた上記採光部が設けられていることを特徴とする請求項１２記載のバックライト装置。
【請求項１４】
上記光学的な領域毎に数を変えて上記採光効率を異ならしめた上記採光部が設けられていることを特徴とする請求項１２記載のバックライト装置。
【請求項１５】
カラー表示パネルと、このカラー表示パネルを背面側から照明するバックライト装置からなるカラー画像表示装置であって、
上記バックライト装置は、複数の単色光源からの色の異なる光を混合してカラー表示パネルに照射する複合光源からなり、上記複数の単色光源が任意の数毎にグルーピングされた光学的な領域を複数箇所有する光源部と、上記光源部の上記光学的な領域を横断するように配置され、上記光学的な領域に対応して少なくとも１つの採光部が設けられた光学的に透明で長尺な板状の光検出用導光板と、上記光検出用導光板の長手方向の少なくとも一方の端面に設けられた各色の光量センサと、上記光学的な領域毎の光を上記各色の光量センサにより順次検出し、上記各色の光量センサによる検出出力に基づいて、上記光学的な領域毎に上記グルーピングされた上記複数の単色光源が出射する複数色の光の光量バランスを制御する制御手段とを備えることを特徴とするカラー画像表示装置。
【発明の詳細な説明】
【技術分野】
【０００１】
本発明は、カラー表示パネルを背面側から照明するバックライト装置及びカラー画像表示装置に関する。
【背景技術】
【０００２】
テレビジョン放送が開始されてから長年使用されてきたＣＲＴ（Cathode Ray Tube）に代わり、液晶表示装置（ＬＣＤ：Liquid Crystal Display）や、プラズマディスプレイ（PDP：Plasma Display Panel）といった非常に薄型化されたテレビジョン受像機が考案、実用化されている。特に、液晶表示パネルを用いた液晶表示装置は、低消費電力での駆動が可能であることや、大型の液晶表示パネルの低価格化などに伴い、加速的に普及することが考えられ、今後の更なる発展が期待できる表示装置である。
【０００３】
カラー液晶表示装置は、カラーフィルタを備えた透過型のカラー液晶表示パネルを背面側からバックライト装置にて照明することでカラー画像を表示させるバックライト方式が主流となっている。バックライト装置の光源としては、蛍光管を使った白色光を発光するＣＣＦＬ（Cold Cathode Fluorescent Lamp）といった蛍光ランプが多く用いられている。
【０００４】
また、ＣＣＦＬは、蛍光管内に水銀を封入するため、環境への悪影響が考えられるため、ＣＣＦＬに代わるバックライト装置の光源として発光ダイオード（ＬＥＤ：Light Emitting Diode）が有望視されている（例えば、特許文献１参照）。
【０００５】
青色発光ダイオードの開発により、光の三原色である赤色光、緑色光、青色光をそれぞれ発光する発光ダイオードが揃ったことになり、これらの発光ダイオードから出射される赤色光、緑色光、青色光を混色することで、色純度の高い白色光を得ることができる。したがって、この発光ダイオードをバックライト装置の光源とすることで、液晶表示パネルを介した色光の色純度が高くなるため、色再現範囲をＣＣＦＬと比較して大幅に広げることができる。
【０００６】
バックライト装置の光源として用いる発光ダイオードとしては、高出力の発光ダイオード（ＬＥＤ）チップを使用した発光ダイオードが有効であり、この発光ダイオードを用いることで、バックライト装置の輝度を大幅に向上させることができる。
【０００７】
ところで、バックライト方式のカラー液晶表示装置では、バックライト装置により規定の白色光が背面側から照射されるカラー液晶表示パネルにおいて、白色光を遮光することにより画素毎に目的の色成分の光だけをカラーフィルタを介して抽出して、カラー画像を表示する。
【０００８】
すなわち、バックライト装置により発光された白色光は、上記カラー液晶表示パネルを介して抽出される目的の色成分の光だけが利用される。例えば画面全体を赤色で表示する場合には、赤色フィルタの設けられている画素以外の画素すなわち緑色フィルタ及び青色フィルタの設けられている画素ではカラー液晶表示パネルにおいて白色光が遮光され、赤色フィルタの設けられている画素以外の画素の光は利用されない。
【０００９】
このように、従来、バックライト方式のカラー液晶表示装置では、利用されない色成分を含む白色光をバックライト装置により発光するようにしていたので、その分無駄に電力を消費していた。
【００１０】
そこで、本件出願人は、バックライトパネルを複数の分割領域単位で駆動し、画像信号に応じてバックライトの輝度を制御することにより、消費電力を削減することを提案している（例えば、特許文献１参照）。
【００１１】
【特許文献１】特開２００１−１４２４０９号公報
【発明の開示】
【発明が解決しようとする課題】
【００１２】
ところで、バックライト装置を複数の分割領域単位で駆動し、画像信号に応じてバックライトの輝度を制御する場合、分割領域毎に駆動状態が異なるので、分割領域毎に光量バランスのずれていると、光量バランスのずれが表示画像の色むらとなって現れてしまう。
【００１３】
そこで、本発明の目的は、上述の如き従来の問題点に鑑み、カラー表示パネルと、このカラー表示パネルを背面側から照明するバックライト装置からなるカラー画像表示装置において、バックライト装置を複数の分割領域単位で駆動するにあたり、分割領域毎の光量バランスのずれによる表示画像の色むらの発生を防止することにある。
【００１４】
本発明の更に他の目的、本発明によって得られる具体的な利点は、以下に説明される実施の形態の説明から一層明らかにされる。
【課題を解決するための手段】
【００１５】
本発明は、カラー表示パネルを背面側から照明するバックライト装置であって、複数の単色光源からの色の異なる光を混合して上記カラー表示パネルに照射する複合光源からなり、上記複数の単色光源が任意の数毎にグルーピングされた光学的な領域を複数箇所有する光源部と、上記光源部の上記光学的な領域を横断するように配置され、上記光学的な領域に対応して少なくとも１つの採光部が設けられた光学的に透明で長尺な板状の光検出用導光板と、上記光検出用導光板の長手方向の少なくとも一方の端面に設けられた各色の光量センサと、上記光学的な領域毎の光を上記各色の光量センサにより順次検出し、上記各色の光量センサによる検出出力に基づいて、上記光学的な領域毎に上記グルーピングされた上記複数の単色光源が出射する複数色の光の光量バランスを制御する制御手段とを備えることを特徴とする。
【００１６】
また、本発明は、カラー表示パネルと、このカラー表示パネルを背面側から照明するバックライト装置からなるカラー画像表示装置であって、上記バックライト装置は、複数の単色光源からの色の異なる光を混合してカラー表示パネルに照射する複合光源からなり、上記複数の単色光源が任意の数毎にグルーピングされた光学的な領域を複数箇所有する光源部と、上記光源部の上記光学的な領域を横断するように配置され、上記光学的な領域に対応して少なくとも１つの採光部が設けられた光学的に透明で長尺な板状の光検出用導光板と、上記光検出用導光板の長手方向の少なくとも一方の端面に設けられた各色の光量センサと、上記光学的な領域毎の光を上記各色の光量センサにより順次検出し、上記各色の光量センサによる検出出力に基づいて、上記光学的な領域毎に上記グルーピングされた上記複数の単色光源が出射する複数色の光の光量バランスを制御する制御手段とを備えることを特徴とする。
【発明の効果】
【００１７】
本発明では、バックライト装置を複数の分割領域単位で駆動するにあたり、分割領域毎の光量バランスのずれによる表示画像の色むらの発生を防止することができる。
【発明を実施するための最良の形態】
【００１８】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１９】
本発明は、例えば図１に示すような構成のカラー画像表示装置１００に適用される。
【００２０】
このカラー画像表示装置１００は、透過型のカラー液晶表示装置であって、透過型のカラー液晶表示パネル１１０と、このカラー液晶表示パネル１１０の背面側に設けられたバックライト装置１４０とからなる。また、図示しないが、このカラー画像表示装置１００は、地上波や衛星波を受信するアナログチューナー、デジタルチューナーといった受信部、この受信部で受信した映像信号、音声信号をそれぞれ処理する映像信号処理部、音声信号処理部、音声信号処理部で処理された音声信号を出力するスピーカといった音声信号出力部などを備えていてもよい。
【００２１】
このカラー画像表示装置１００における透過型のカラー液晶表示パネル１１０は、ガラス等で構成された２枚の透明な基板（ＴＦＴ（Thin Film Transistor）基板１１１、対向電極基板１１２）を互いに対向配列させ、その間隙に、例えば、ツイステッドネマチック（ＴＮ）液晶を封入した液晶層１１３を設け、さらに、ＴＦＴ基板１１１、対向電極基板１１２を、２枚の偏光板１３１、１３２によって挟むことで構成されている。ＴＦＴ基板１１１には、マトリックス状に配列された信号線１１４と、走査線１１５と、この信号線１１４、走査線１１５の交点に配列されたスイッチング素子としての薄膜トランジスタ１１６と、画素電極１１７とが形成されている。薄膜トランジスタ１１６は、走査線１１５により、順次選択されると共に、信号線１１４から供給される映像信号を、対応する画素電極１１７に書き込む。一方、対向電極基板１１２の内表面には、対向電極１１８及びカラーフィルタ１１９が形成されている。
【００２２】
カラーフィルタ１１９は、各画素に対応した複数のセグメントに分割されている。例えば、図２に示すように、３原色である赤色フィルタＣＦＲ、緑色フィルタＣＦＧ、青色フィルタＣＦＢの３つのセグメントに分割されている。カラーフィルタ１１９の配列パターンは、図２に示すようなストライプ配列の他に、デルタ配列、正方配列などがある。
【００２３】
このカラー液晶表示パネル１１０では、マトリクス状に配置された薄膜トランジスタを制御して、液晶層１１３に画素毎に独立して選択的に電圧を印加することにより、入射した光を光学的に変調させ、映像表示が行われる。
【００２４】
このカラー画像表示装置１００は、このような構成の透過型のカラー液晶表示パネル１１０を、バックライト装置１４０により背面側から白色光を照射した状態で、アクティブマトリックス方式で駆動することによって、所望のフルカラー映像を表示させることができる。
【００２５】
このカラー画像表示装置１００におけるバックライト装置１４０は、多数個の発光ダイオードを使ったエリアライト型のバックライト装置であって、図１に示すように、ここでは、光源として多数個の発光ダイオードが配設された筐体部１２０内に、拡散板１４１や、拡散板１４１上に重ねて配置される拡散シート１４２、プリズムシート１４３、偏光変換シート１４４といった光学シート群１４５などを備えた構成となっている。拡散板１４１は、光源から出射された光を、内部拡散させることで、面発光における輝度の均一化を行う。また、光学シート群１４５は、拡散板１４１から出射された照明光を、拡散板１４１の法線方向に立ち上げることで、面発光における輝度を上昇させる働きをする。
【００２６】
ここで、このバックライト装置１４０の筐体部１２０内の概略構成図を図３に示す。この筐体部１２０は、仕切壁１２１により４×４のマトリクス状に光学的に分離された領域Ａ１１〜Ａ４４に少なくとも赤色（Ｒ）光を発光する赤色発光ダイオード２１Ｒ、緑色（Ｇ）光を発光する緑色発光ダイオード２１Ｇ、青色（Ｂ）光を発光する青色発光ダイオード２１Ｂを光源として備える発光ダイオードユニットＬＥＤＵ１１〜ＬＥＤＵ４４が設けられているとともに、上記領域Ａ１１〜Ａ１４に沿って上記仕切壁１２１を水平方向（Ｘ方向）に貫通する長尺な板状の光検出用導光板ＬＧＰ１、領域Ａ２１〜Ａ２４に沿って上記仕切壁１２１を水平方向（Ｘ方向）に貫通する長尺な板状の光検出用導光板ＬＧＰ２、領域Ａ３１〜Ａ３４に沿って上記仕切壁１２１を水平方向（Ｘ方向）に貫通する長尺な板状の光検出用導光板ＬＧＰ３、領域Ａ４１〜Ａ４４に沿って上記仕切壁１２１を水平方向（Ｘ方向）に貫通する長尺な板状の光検出用導光板ＬＧＰ４が設けられている。
【００２７】
各光検出用導光板ＬＧＰ１〜ＬＧＰ４は、アクリル樹脂などの光学的に透明な樹脂からなり、上記各領域Ａ１１〜Ａ４４に対応して少なくとも１つの採光部Ｗ１１〜Ｗ４４が設けられているとともに、各長手方向の少なくとも一方の端面に各色の光量センサを備える光量センサ部ＬＳ１〜ＬＳ４が設けられている。
【００２８】
ここで、採光部Ｗ（Ｗ１１〜Ｗ４４）は、光検出用導光板ＬＧＰ（ＬＧＰ１〜ＬＧＰ４）の長手方向と交差するように起立して設けられた全反射するための角度条件を満たさない起立面を有するものであって、例えば、図４に光検出用導光板ＬＧＰ１の採光部Ｗ１１〜Ｗ１４を示すように、凹部形状に形成されている。
【００２９】
このバックライト装置１４０において、上記各光検出用導光板ＬＧＰ１〜ＬＧＰ４は、各領域Ａ１１〜Ａ４４に設けられた発光ダイオードユニットＬＥＤＵ１１〜ＬＥＤＵ４４からの光を上記各領域Ａ１１〜Ａ４４に対応して設けられた採光部Ｗ１１〜Ｗ４４を介して採光し、長手方向の一端に設けられた光量センサ部ＬＳ１〜ＬＳ４に導光する。上記光量センサ部ＬＳ１〜ＬＳ４では、図５に示すように、上記発光ダイオードユニットＬＥＤＵ１１〜ＬＥＤＵ４４が個別に点灯されることにより、上記発光ダイオードユニットＬＥＤＵ１１〜ＬＥＤＵ４４からの光を個別に検出することができる。
【００３０】
上記光量センサ部ＬＳ１〜ＬＳ４は、それぞれ赤色光の光量を検出する赤色光センサＳＲ、緑色光の光量を検出する緑色光センサＳＧ、及び青色光の光量を検出する青色光センサＳＢからなる。
【００３１】
このような構成のカラー画像表示装置１００は、例えば、図６に示すような駆動回路２００により駆動される。
【００３２】
駆動回路２００は、カラー液晶表示パネル１１０やバックライト装置１４０の駆動電源を供給する電源部２１０、外部から供給される映像信号や当該カラー画像表示装置１００が備える図示しない受信部で受信された映像信号が、入力端子２２０を介して供給されるビデオデコーダ２３０、このビデオデコーダ２３０に接続された制御信号作成部２４０、この制御信号作成部２４０に接続されたバックライト駆動制御部２５０及びビデオエンコーダ２６０、このビデオエンコーダ２６０の出力に応じてカラー液晶表示パネル１１０を駆動するＸドライバ回路２７０及びＹドライバ回路２８０などからなる。
【００３３】
この駆動回路２００において、入力端子２２０を介して入力された映像信号は、ビデオデコーダ２３０により、クロマ処理などの信号処理がなされ、さらに、コンポジット信号からカラー液晶表示パネル１１０の駆動に適したそれぞれｍビット（ｍは８〜１２を想定）のＲＧＢデータに変換されて、水平同期信号Ｈ及び垂直同期信号Ｖとともに制御信号作成部２４０に供給される。
【００３４】
制御信号作成部２４０は、ビデオデコーダ２３０から供給されるＲＧＢデータに基づいて、映像信号データを作成して、水平同期信号Ｈ及び垂直同期信号Ｖとともにビデオエンコーダ２６０に供給するとともに、バックライト駆動制御部２５０によりバックライト装置１４０の発光ダイオードユニットＬＥＤＵ１１〜ＬＥＤＵ４４を上記映像信号の明るさに応じて個別に駆動制御する光量制御信号を作成してバックライト駆動制御部２５０に供給する。
【００３５】
バックライト駆動制御部２５０には、上記光量センサ部ＬＳ１〜ＬＳ４により、上記発光ダイオードユニットＬＥＤＵ１１〜ＬＥＤＵ４４からの光の光量を個別に順次検出した光量検出信号が供給されている。
【００３６】
上記バックライト駆動制御部２５０は、上記制御信号作成部２４０から供給される映像信号の明るさに応じた光量制御信号により上記発光ダイオードユニットＬＥＤＵ１１〜ＬＥＤＵ４４の発光量を個別に制御することにより、領域Ａ１１〜Ａ４４の明るさを制御するとともに、上記光量センサ部ＬＳ１〜ＬＳ４により検出される光量検出信号に基づいて、上記発光ダイオードユニットＬＥＤＵ１１〜ＬＥＤＵ４４の各色の発光ダイオード２１Ｒ、２１Ｇ、２１Ｂに流す駆動電流の大きさを制御することにより、領域Ａ１１〜Ａ４４における各色の光の光量バランスを個別に制御する。
【００３７】
バックライト駆動制御部２５０は、例えば図７に示すように、上記発光ダイオードユニットＬＥＤＵ１１〜ＬＥＤＵ１４を駆動する駆動ブロック２５０Ａ、上記発光ダイオードユニットＬＥＤＵ２１〜ＬＥＤＵ２４を駆動する駆動ブロック２５０Ｂ、上記発光ダイオードユニットＬＥＤＵ３１〜ＬＥＤＵ３４を駆動する駆動ブロック２５０Ｃ、上記発光ダイオードユニットＬＥＤＵ４１〜ＬＥＤＵ４４を駆動する駆動ブロック２５０Ｄ、及び、これら各駆動ブロック２５０Ａ〜２５０Ｄの動作を上記光量センサ部ＬＳ１〜ＬＳ４により検出される光量検出信号に基づいて制御する制御ブロック２５０Ｅからなる。
【００３８】
このバックライト駆動制御部２５０は、発光ダイオードユニットＬＥＤＵ１１〜ＬＥＤＵ４４を発光ダイオードユニット毎に駆動するもので、駆動ブロック２５０Ａは、各発光ダイオードユニットＬＥＤＵ１１〜ＬＥＤＵ１４を駆動する駆動ブロック２５０Ａ１〜２５０Ａ４からなる。
【００３９】
駆動ブロック２５０Ａ１は、例えば図８に示すような構成により、発光ダイオードユニットＬＥＤＵ１１を制御するようになっている。
【００４０】
すなわち、制御ブロック２５０Ｅは、発光ダイオードユニットＬＥＤＵ１１からの光の光量を検出する光量センサ部ＬＳ１の赤色光センサＳＲ、緑色光センサＳＧ及び青色光センサＳＢによる各色の光量検出信号が供給される光量バランス制御部２５１と上記緑色光センサＳＧによる緑色の光量検出信号が供給される光量制御部２５２からなり、発光ダイオードユニットＬＥＤＵ１１の駆動ブロック２５０Ａ１は、上記光量バランス制御部２５１に接続された各定電流ドライバ２５３Ｒ，２５３Ｇ，２５３Ｂ、上記光量制御部２５２に接続されたＰＷＭドライバ２５４、上記ＰＷＭドライバ２５４により制御されるＰＷＭスイッチ回路２５５などからなる。
【００４１】
上記ＰＷＭスイッチ回路２５５は、領域Ａ１１に対応して設けられた発光ダイオードユニットＬＥＤＵ１１を構成しているそれぞれ直列接続された各色の発光ダイオード２１Ｒ、発光ダイオード２１Ｇ、発光ダイオード２１ＢをＰＷＭ駆動するためのＰＷＭスイッチ２５５Ｒ，２５５Ｇ，２５５Ｂからなる。
【００４２】
そして、上記定電流ドライバ２５３Ｒと、上記発光ダイオードユニットＬＥＤＵ１１を構成している赤色の発光ダイオード２１Ｒと、ＰＷＭスイッチ２５５Ｒが直列接続されている。また、上記定電流ドライバ２５３Ｇと、上記発光ダイオードユニットＬＥＤＵ１１を構成している緑色の発光ダイオード２１Ｇと、ＰＷＭスイッチ２５５Ｇが直列接続されている。さらに、上記定電流ドライバ２５３Ｂと、上記発光ダイオードユニットＬＥＤＵ１１を構成している青色の発光ダイオード２１Ｂと、ＰＷＭスイッチ２５５Ｂが直列接続されている。
【００４３】
上記光量バランス制御部２５１は、上記光量センサ部ＬＳ１の赤色光センサＳＲ、緑色光センサＳＧ及び青色光センサＳＢによる各色の光量検出信号に基づいて、例えば緑色の光量と赤色及び青色の光量を一致させる光量バランス制御信号を生成し、この光量バランス制御信号により、駆動ブロック２５０Ａ１の各定電流ドライバ２５３Ｒ，２５３Ｇ，２５３Ｂを制御することによって、上記発光ダイオードユニットＬＥＤＵ１１を構成している各色の発光ダイオード２１Ｒ，２１Ｇ，２１Ｂに流す駆動電流を制御する。これにより、上記発光ダイオードユニットＬＥＤＵ１１の光量バランスが制御される。
【００４４】
また、上記光量制御部２５２は、上記緑色光センサＳＧによる緑色の光量検出信号に基づいて、発光ダイオードユニットＬＥＤＵ１１全体の発光量を示す光量制御信号を生成して上記駆動ブロック２５０Ａ１のＰＷＭドライバ２５４に供給する。そして、上記ＰＷＭドライバ２５４は、上記制御信号作成部２４０により作成された光量制御信号が供給されており、上記光量制御部２５２からの光量制御信号と上記制御信号作成部２４０からの光量制御信号に基づいて、上記カラー液晶表示パネル１１０を駆動して表示される映像に対応して、上記発光ダイオードユニットＬＥＤＵ１１が設けられた領域Ａ１１に必要とされる明るさを確保するデューティ比のＰＷＭ制御信号を生成し、このＰＷＭ制御信号により、上記ＰＷＭスイッチ回路２５５のＰＷＭスイッチ２５５Ｒ，２５５Ｇ，２５５Ｂを制御する。これにより、上記カラー液晶表示パネル１１０を駆動して表示される映像に対応して、上記領域Ａ１１に必要とされる明るさ確保するように、上記発光ダイオードユニットＬＥＤＵ１１の光量がＰＷＭ制御される。
【００４５】
また、駆動ブロック２５０Ａの各発光ダイオードユニットＬＥＤＵ１２〜ＬＥＤＵ１４を駆動する駆動ブロック２５０Ａ２〜２５０Ａ４は、駆動ブロック２５０Ａ１と同様に、上記光量センサ部ＬＳ１の赤色光センサＳＲ、緑色光センサＳＧ及び青色光センサＳＢによる各色の光量検出信号に基づいて、上記制御ブロック２５０Ｅの光量バランス制御部２５１及び光量制御部２５２により制御される。これにより、上記制御ブロック２５０Ｅの光量バランス制御部２５１により各発光ダイオードユニットＬＥＤＵ１２〜ＬＥＤＵ１４の光量バランスが制御されるとともに、上記緑色光センサＳＧによる緑色の光量検出信号に基づいて、光量制御部２５２により各発光ダイオードユニットＬＥＤＵ１２〜ＬＥＤＵ１４の光量がＰＷＭ制御される。
【００４６】
ここで、上記制御ブロック２５０Ｅは、上記光量センサ部ＬＳ１の赤色光センサＳＲ、緑色光センサＳＧ及び青色光センサＳＢによる各色の光量検出信号に基づいて、駆動ブロック２５０Ａの動作を制御するに当たり、駆動ブロック２５０Ａの各発光ダイオードユニットＬＥＤＵ１１〜ＬＥＤＵ１４を駆動する駆動ブロック２５０Ａ１〜２５０Ａ４の各ＰＷＭドライバ２５４に光量制御部２５２から制御パルスを供給して、視覚的に影響を与えることにない短時間、例えば１／１０００秒程度だけ、各発光ダイオードユニットＬＥＤＵ１１〜ＬＥＤＵ１４を１つの発光ダイオードユニットだけが点灯状態となり他の発光ダイオードユニットは消灯状態となるように択一的に選択駆動することにより、発光ダイオードユニット毎の光量検出を行う。なお、各発光ダイオードユニットＬＥＤＵ１１〜ＬＥＤＵ１４の１つを点灯状態とする際の順番及びタイミングは任意とすることができる。
であてよい。
【００４７】
さらに、駆動ブロック２５０Ａの各発光ダイオードユニットＬＥＤＵ２１〜ＬＥＤＵ４４を駆動する駆動ブロック２５０Ａ２〜２５０Ａ４は、駆動ブロック２５０Ａ１と同様に、上記光量センサ部ＬＳ２〜ＬＳ４の赤色光センサＳＲ、緑色光センサＳＧ及び青色光センサＳＢによる各色の光量検出信号に基づいて、上記制御ブロック２５０Ｅの光量バランス制御部２５１及び光量制御部２５２により制御される。これにより、上記制御ブロック２５０Ｅの光量バランス制御部２５１により各発光ダイオードユニットＬＥＤＵ２１〜ＬＥＤＵ４４の光量バランスが制御されるとともに、上記緑色光センサＳＧによる緑色の光量検出信号に基づいて、光量制御部２５２により各発光ダイオードユニットＬＥＤＵ２１〜ＬＥＤＵ４４の光量がＰＷＭ制御される。
【００４８】
ここで、上記制御ブロック２５０Ｅは、上記光量センサ部ＬＳ１の赤色光センサＳＲ、緑色光センサＳＧ及び青色光センサＳＢによる各色の光量検出信号に基づいて、駆動ブロック２５０Ａの動作を制御するに当たり、駆動ブロック２５０Ａの各発光ダイオードユニットＬＥＤＵ１１〜ＬＥＤＵ１４を駆動する駆動ブロック２５０Ａ１〜２５０Ａ４の各ＰＷＭドライバ２５４に光量制御部２５２から制御パルスを供給して、視覚的に影響を与えることにない短時間だけ、各発光ダイオードユニットＬＥＤＵ１１〜ＬＥＤＵ１４を１つの発光ダイオードユニットだけが点灯状態となり他の発光ダイオードユニットは消灯状態となるように択一的に選択駆動することにより、発光ダイオードユニット毎の光量検出を行い、光量バランス制御部２５１により各発光ダイオードユニットＬＥＤＵ１１〜ＬＥＤＵ１４の光量バランスを制御する。
【００４９】
同様に、上記制御ブロック２５０Ｅは、上記光量センサ部ＬＳ２の赤色光センサＳＲ、緑色光センサＳＧ及び青色光センサＳＢによる各色の光量検出信号に基づいて、駆動ブロック２５０Ｂの動作を制御するに当たり、駆動ブロック２５０Ｂの各発光ダイオードユニットＬＥＤＵ２１〜ＬＥＤＵ２４を駆動する駆動ブロックの各ＰＷＭドライバに光量制御部２５２から制御パルスを供給して、視覚的に影響を与えることにない短時間だけ、各発光ダイオードユニットＬＥＤＵ２１〜ＬＥＤＵ２４を１つの発光ダイオードユニットだけが点灯状態となり他の発光ダイオードユニットは消灯状態となるように択一的に選択駆動することにより、発光ダイオードユニット毎の光量検出を行い、光量バランス制御部２５１により各発光ダイオードユニットＬＥＤＵ２１〜ＬＥＤＵ２４の光量バランスを制御する。
【００５０】
さらに、上記制御ブロック２５０Ｅは、上記光量センサ部ＬＳ３，ＬＳ３の赤色光センサＳＲ、緑色光センサＳＧ及び青色光センサＳＢでも同様な検出動作を行い、光量バランス制御部２５１により各発光ダイオードユニットＬＥＤＵ３１〜ＬＥＤＵ４４の光量バランスを制御する。
【００５１】
すなわち、この実施の形態におけるカラー画像表示装置１００は、カラー液晶表示パネル１１０と、このカラー液晶表示パネル１１０を背面側から照明するバックライト装置１４０とからなる透過型のカラー液晶表示装置であって、上記バックライト装置１４０は、それぞれ各色の発光ダイオード２１Ｒ，２１Ｇ，２１Ｂからの色の異なる光を混合してカラー液晶表示パネル１１０に照射する光学的な領域Ａ１１〜Ａ４４に対応して設けられた複数の発光ダイオードユニットＬＥＤＵ１１〜ＬＥＤＵ４４を光源部として備える。そして、上記各領域Ａ１１〜Ａ４４を横断するように配置され、上記各領域Ａ１１〜Ａ４４に対応して採光部Ｗ１１〜Ｗ４４が設けられた光学的に透明で長尺な板状の光検出用導光板ＬＧＰ１〜ＬＧＰ４の長手方向の一方の端面に設けられた光量センサ部ＬＳ１〜ＬＳ４により、上記発光ダイオードユニットＬＥＤＵ１１〜ＬＥＤＵ４４における各色の光量が個別に順次検出される。上記バックライト駆動制御部２５０は、上記光量センサ部ＬＳ１〜ＬＳ４による光量検出信号に基づいて、上記発光ダイオードユニットＬＥＤＵ１１〜ＬＥＤＵ４４の各色の発光ダイオード２１Ｒ、２１Ｇ、２１Ｂに流す駆動電流の大きさを制御することにより、領域Ａ１１〜Ａ４４における各色の光の光量バランスを個別に制御することができる。
【００５２】
したがって、このカラー画像表示装置１００では、バックライト装置１４０を複数の分割領域Ａ１１〜Ａ４４単位で駆動するにあたり、分割領域Ａ１１〜Ａ４４毎の光量バランスのずれによる表示画像の色むらの発生を防止することができる。なお、上記バックライト装置１４０では、上記各領域Ａ１１〜Ａ４４を横断するように配置された光検出用導光板ＬＧＰ１〜ＬＧＰ４を介して上記各領域Ａ１１〜Ａ４４から導かれる光を光量センサ部ＬＳ１〜ＬＳ４により検出して、各領域Ａ１１〜Ａ４４における各色の光の光量バランスを個別に制御するので、バックライト装置１４０の背面側全面を冷却のための使用することができる。
【００５３】
ここで、上記カラー画像表示装置１００では、光検出用導光板ＬＧＰ１〜ＬＧＰ４の採光部Ｗ１１〜Ｗ４４は凹部形状に形成されていているものとしたが、採光部Ｗは、光検出用導光板ＬＧＰの長手方向と交差するように起立して設けられた全反射するための角度条件を満たさない起立面を有するものであればよく、図９の（Ａ）に示すように、凸部形状に形成されていてもよく、また、図９の（Ｂ）に示すように、全反射するための角度条件を満たさない起立面が上記ＬＧＰ１〜ＬＧＰ４の長手方向と４５度傾斜して交差するように設けられていてもよい。
【００５４】
また、上記カラー画像表示装置１００では、光検出用導光板ＬＧＰ１〜ＬＧＰ４の採光部Ｗ１１〜Ｗ４４を各領域Ａ１１〜Ａ４４毎に１つ設けるものとしたが、図１０に示す光検出用導光板ＬＧＰのように、各領域に採光部Ｗを複数個ずつ設けることにより、採光効率を向上させることもできる。
【００５５】
また、上記カラー画像表示装置１００では、光検出用導光板ＬＧＰ１〜ＬＧＰ４の採光部Ｗ１１〜Ｗ４４は、各領域Ａ１１〜Ａ４４毎に１つ設け、領域毎に光量バランスを制御するようにしたが、所定の数の領域毎に１つ採光部Ｗを設けるようにして所定の数の領域毎に光量バランスを制御するようにしてもよい。
【００５６】
また、上記カラー画像表示装置１００では、バックライト装置１４０の筐体部１２０内部を仕切壁１２１により仕切った各領域Ａ１１〜Ａ４４毎に発光ダイオードユニットＬＥＤＵ１１〜ＬＥＤＵ４４を設けるようにしたが、図１１に示すように、仕切壁１２１をなくした構造とすることもできる。
【００５７】
さらに、上記カラー画像表示装置１００では、光検出用導光板ＬＧＰ１〜ＬＧＰ４の長手方向の一方の端面に設けられた光量センサ部ＬＳ１〜ＬＳ４により、上記発光ダイオードユニットＬＥＤＵ１１〜ＬＥＤＵ４４における各色の光量を検出するようにしたが、図１２に示すように、光検出用導光板ＬＧＰ１〜ＬＧＰ４の長手方向の両端面にそれぞれ光量センサ部ＬＳ１ａ，ＬＳ１ｂ〜ＬＳ４ａ，ＬＳ４ｂを設け、各光量センサ部ＬＳ１ａ，ＬＳ１ｂ〜ＬＳ４ａ，ＬＳ４ｂにより、各領域Ａ１１〜Ａ４４における各色の光量を順次検出し、各光量センサ部ＬＳ１ａ，ＬＳ１ｂ〜ＬＳ４ａ，ＬＳ４ｂによる光量検出信号に基づいて、各領域Ａ１１〜Ａ４４における各色の光の光量バランスを個別に制御するようにしてもよい。
【００５８】
ここで、光検出用導光板ＬＧＰ１〜ＬＧＰ４の採光部Ｗ１１〜Ｗ４４を介して採光された各色の光は、光検出用導光板ＬＧＰ１〜ＬＧＰ４を介して導光される間に混合されるので、上記バックライト駆動制御部２５０は、光検出用導光板ＬＧＰ１〜ＬＧＰ４の長手方向を２等分して、遠方側に位置する発光ダイオードユニットＬＥＤＵ１１〜ＬＥＤＵ４４が出射する複数色の光を検出するように、各光量センサ部ＬＳ１ａ〜ＬＳ４ａ，ＬＳ１ｂ〜ＬＳ４ｂの各光量センサを稼働して、上記各光量センサ部ＬＳ１ａ〜ＬＳ４ａ，ＬＳ１ｂ〜ＬＳ４ｂよる検出出力に基づいて、上記発光ダイオードユニットＬＥＤＵ１１〜ＬＥＤＵ４４が出射する光の光量バランスを制御する。
【００５９】
すなわち、上記発光ダイオードユニットＬＥＤＵ１１，ＬＥＤＵ１２は、光検出用導光板ＬＧＰ１の右端面に設けられた光量センサ部ＬＳ１ａによる検出出力に基づいて、光量バランスが制御される。また、上記発光ダイオードユニットＬＥＤＵ１３，ＬＥＤＵ１４は、上記光検出用導光板ＬＧＰ１の左端面に設けられた光量センサ部ＬＳ１ｂによる検出出力に基づいて、光量バランスが制御される。
【００６０】
また、上記発光ダイオードユニットＬＥＤＵ２１，ＬＥＤＵ２２は、光検出用導光板ＬＧＰ２の右端面に設けられた光量センサ部ＬＳ２ａによる検出出力に基づいて、光量バランスが制御される。また、上記発光ダイオードユニットＬＥＤＵ２３，ＬＥＤＵ２４は、上記光検出用導光板ＬＧＰ２の左端面に設けられた光量センサ部ＬＳ２ｂによる検出出力に基づいて、光量バランスが制御される。
【００６１】
また、上記発光ダイオードユニットＬＥＤＵ３１，ＬＥＤＵ３２は、光検出用導光板ＬＧＰ３の右端面に設けられた光量センサ部ＬＳ３ａによる検出出力に基づいて、光量バランスが制御される。また、上記発光ダイオードユニットＬＥＤＵ３３，ＬＥＤＵ３４は、上記光検出用導光板ＬＧＰ３の左端面に設けられた光量センサ部ＬＳ３ｂによる検出出力に基づいて、光量バランスが制御される。
【００６２】
さらに、上記発光ダイオードユニットＬＥＤＵ４１，ＬＥＤＵ４２は、光検出用導光板ＬＧＰ４の右端面に設けられた光量センサ部ＬＳ４ａによる検出出力に基づいて、光量バランスが制御される。また、上記発光ダイオードユニットＬＥＤＵ４３，ＬＥＤＵ４４は、上記光検出用導光板ＬＧＰ４の左端面に設けられた光量センサ部ＬＳ４ｂによる検出出力に基づいて、光量バランスが制御される。
【００６３】
なお、採光部Ｗを介して採光された各色の光は長尺な板状の光検出用導光板ＬＧＰを通過することにより減衰するので、高感度に光量検出を行い、光量バランスを制御するには、図１３に示すように、上記光検出用導光板ＬＧＰの両端部分に光量センサ部ＬＳａ，ＬＳｂを設け、発光ダイオードユニットＬＥＤＵa１〜ＬＥＤＵａ４が出射する光を一方の光量センサ部ＬＳａにより検出し、発光ダイオードユニットＬＥＤＵｂ１〜ＬＥＤＵｂ４が出射する光を他方の光量センサ部ＬＳｂにより検出するようにすればよい。
【００６４】
すなわち、バックライト駆動制御部２５０は、上記光検出用導光板ＬＧＰの長手方向を２等分して、近方側に位置する発光ダイオードユニットＬＥＤＵa１〜ＬＥＤＵａ４，ＬＥＤＵｂ１〜ＬＥＤＵｂ４が発光ダイオードユニット毎に出射する光、すなわち、複数の単色光源が任意の数毎にグルーピングされた光学的な領域Ａa１〜Ａａ４，Ａｂ１〜Ａｂ４毎の光を検出するように、上記光検出用導光板ＬＧＰの長手方向の両端にそれぞれ設けられた各光量センサ部ＬＳａ，ＬＳｂの各色の各光量センサを稼働して、上記光学的な領域Ａa１〜Ａａ４，Ａｂ１〜Ａｂ４毎の光を上記光量センサ部ＬＳａ，ＬＳｂの各色の光量センサにより順次検出し、上記各色の光量センサによる検出出力に基づいて、上記光学的な領域Ａa１〜Ａａ４，Ａｂ１〜Ａｂ４毎に上記グルーピングされた上記複数の単色光源が出射する複数色の光の光量バランスを制御することにより、高感度に光量検出を行い、光量バランスを制御することができる。
【００６５】
また、上記発光ダイオードユニットＬＥＤＵa１〜ＬＥＤＵａ４，ＬＥＤＵｂ１〜ＬＥＤＵｂ４が発光ダイオードユニット毎に出射する光、複数の単色光源が任意の数毎にグルーピングされた光学的な領域Ａa１〜Ａａ４，Ａｂ１〜Ａｂ４毎の光に対する光量センサ部ＬＳａ，ＬＳｂに検出感度は、光量センサ部ＬＳａ，ＬＳｂから各領域Ａa１〜Ａａ４，Ａｂ１〜Ａｂ４までの距離に応じて変わるので、上記光検出用導光板ＬＧＰには、上記光量センサ部ＬＳａ，ＬＳｂから離れるほど採光効率を高めた採光部Ｗa１〜Ｗａ４，Ｗｂ１〜Ｗｂ４を上記光学的な領域Ａa１〜Ａａ４，Ａｂ１〜Ａｂ４毎に設けるようにすれば、検出感度にを一定にして、光量バランスを均一に制御することができる。
【００６６】
ここで、上記採光部Ｗa１〜Ｗａ４，Ｗｂ１〜Ｗｂ４の採光効率は、採光部の大きさ、凹部形状の採光部であれば深さ、また、凸部形状の採光部であれば高さなど、採光部の形状、あるいは、採光部の数などによって変えるとができる。
【００６７】
例えば、図１４に示すように、光学的な領域Ａa１〜Ａａ４，Ａｂ１〜Ａｂ４毎に大きさを変えて採光効率を異ならしめた採光部Ｗa１〜Ｗａ４，Ｗｂ１〜Ｗｂ４を設けることにより、検出感度を均一にすることができる。
【００６８】
ここで、Ｎ個の光学的な領域から採光部を介して採光し光検出用導光板を介して光量センサ部に導光し、光量センサ部で検出されるＮ個の光学的な領域からの光の強度を実測した結果を図１５に示す。図１５は、光学的な領域毎に採光部の大きさを変えて採光効率を異ならしめた場合の実測結果Ｆ１、採光効率を同じにした場合の実測結果Ｆ２を示しており、横軸は光量センサ部に近い側を［１］としたＮ個の光学的な領域の番号を示し、縦軸は光量センサ部で検出された光の強度を示している。
【００６９】
また、図１６に示すように、光学的な領域Ａa１〜Ａａ４，Ａｂ１〜Ａｂ４毎に数を変えて採光効率を異ならしめた採光部Ｗa１〜Ｗａ４，Ｗｂ１〜Ｗｂ４を設けることによっても、検出感度を均一にすることができる。
【図面の簡単な説明】
【００７０】
【図１】本発明を適用したカラー画像表示装置の構成を示す分解斜視図である。
【図２】上記カラー画像表示装置に備えられた液晶表示パネルに設けられるカラーフィルタの構成を示す図である。
【図３】上記カラー画像表示装置におけるバックライト装置の筐体部内の概略構成を示す図である。
【図４】上記バックライト装置に備えられる光検出用導光板の採光部の形状例を示す斜視図である。
【図５】上記光検出用導光板の機能を模式的に示す要部縦断断面図である。
【図６】上記カラー液晶表示装置の駆動回路の構成を示すブロック図である。
【図７】上記駆動回路におけるバックライト駆動制御部の構成を示すブロック図である。
【図８】上記バックライト駆動制御部における駆動ブロックの構成を示すブロック図である。
【図９】上記バックライト装置に備えられる光検出用導光板の採光部の他の形状例を示す斜視図である。
【図１０】上記バックライト装置に備えられる光検出用導光板の採光部の更に他の形状例を示す斜視図である。
【図１１】上記バックライト装置における筐体部内の仕切壁をなくした構造を示す要部縦断断面図である。
【図１２】光検出用導光板の長手方向の両端面にそれぞれ光量センサ部を設け、各光量センサ部により、各領域における各色の光量を順次検出するようにしたバックライト装置の要部構成を示す平面図である。
【図１３】光検出用導光板の長手方向の両端面にそれぞれ設けた光量センサ部により、各領域における各色の光量を高感度に検出するようにしたバックライト装置の要部構成を示す断面図である。
【図１４】光検出用導光板の長手方向の両端面にそれぞれ設けた光量センサ部により、各領域における各色の光量を均一に検出するようにしたバックライト装置に備えられる光検出用導光板の採光部の形状例を示す斜視図である。
【図１５】光量センサ部で検出されるＮ個の光学的な領域からの光の強度を実測した結果を特性図である。
【図１６】光検出用導光板の長手方向の両端面にそれぞれ設けた光量センサ部により、各領域における各色の光量を均一に検出するようにしたバックライト装置に備えられる光検出用導光板の採光部の他の形状例を示す斜視図である。
【符号の説明】
【００７１】
２１Ｒ  赤色発光ダイオード、２１Ｇ  緑色発光ダイオード、２１Ｂ  青色発光ダイオード、１００  カラー画像表示蔵置、１１０  透過型のカラー液晶表示パネル、１１１  ＴＦＴ基板、１１２  対向電極基板、１１３  液晶層、１１４  信号線、１１５  走査線、１１６  薄膜トランジスタ、１１７  画素電極、１１８  対向電極、１１９  カラーフィルタ、１２０  バックライト筐体部、１２１  仕切壁、１３１，１３２  偏光板、１４０  バックライト装置、１４１  拡散板、１４２  拡散シート、１４３  プリズムシート、１４４  偏光変換シート、１４５  光学シート群、駆動回路  ２００、２１０  電源部、２２０  入力端子、２３０  ビデオデコーダ、２４０  制御信号作成部、２５０  バックライト駆動制御部、２５１  光量バランス制御部、２５２  光量制御部、２５３Ｒ，２５３Ｇ，２５３Ｂ  定電流ドライバ、２５４  ＰＷＭドライバ、  ２５５  ＰＷＭスイッチ回路、２５５Ｒ，２５５Ｇ，２５５Ｂ  ＰＷＭスイッチ、２６０  ビデオエンコーダ、２７０  Ｘドライバ回路、２８０  Ｙドライバ回路、Ａ１１〜Ａ４４  領域、ＬＥＤＵ，ＬＥＤＵ１１〜ＬＥＤＵ４４  発光ダイオードユニット、ＬＰＧ１〜ＬＰＧ４  光検出用導光板、ＬＳ１〜ＬＳ４、ＬＳ１ａ，ＬＳ１ｂ〜ＬＳ４ａ，ＬＳ４ｂ  光量センサ部、ＳＲ，ＳＧ，ＳＢ  光量センサ、Ｗ１１〜Ｗ４４  採光部、
【図１】
2008010397.tif 000003
【図２】
2008010397.tif 000004
【図３】
2008010397.tif 000005
【図４】
2008010397.tif 000006
【図５】
2008010397.tif 000007
【図６】
2008010397.tif 000008
【図７】
2008010397.tif 000009
【図８】
2008010397.tif 000010
【図９】
2008010397.tif 000011
【図１０】
2008010397.tif 000012
【図１１】
2008010397.tif 000013
【図１２】
2008010397.tif 000014
【図１３】
2008010397.tif 000015
【図１４】
2008010397.tif 000016
【図１５】
2008010397.tif 000017
【図１６】
2008010397.tif 000018
【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
カラー表示パネルを背面側から照明するバックライト装置であって、
複数の単色光源からの色の異なる光を混合して上記カラー表示パネルに照射する複合光源からなり、上記複数の単色光源が任意の数毎にグルーピングされた光学的な領域を複数箇所有する光源部と、
上記光源部の上記光学的な領域を横断するように配置され、上記光学的な領域に対応して少なくとも１つの採光部が設けられた光学的に透明で長尺な板状の光検出用導光板と、
上記光検出用導光板の長手方向の少なくとも一方の端面に設けられた各色の光量センサと、
上記光学的な領域毎の光を上記各色の光量センサにより順次検出し、上記各色の光量センサによる検出出力に基づいて、上記光学的な領域毎に上記グルーピングされた上記複数の単色光源が出射する複数色の光の光量バランスを制御する制御手段と
を備えることを特徴とするバックライト装置。
【請求項２】
上記採光部は、上記光検出用導光板と長手方向と交差するように起立して設けられた全反射するための角度条件を満たさない起立面を有することを特徴とする請求項１記載のバックライト装置。
【請求項３】
上記採光部は、凹部形状に形成されていることを特徴とする請求項２記載のバックライト装置。
【請求項４】
上記採光部は、凸部形状に形成されていることを特徴とする請求項２記載のバックライト装置。
【請求項５】
上記採光部は、上記光学的な領域の所定の数毎に１つ設けられていることを特徴とすることを特徴とする請求項１記載のバックライト装置。
【請求項６】
上記採光部は、上記光学的な領域毎に設けられていることを特徴とする請求項１記載のバックライト装置。
【請求項７】
上記採光部は、上記光学的な領域の１つに対して複数設けられていることを特徴とする請求項１記載のバックライト装置。
【請求項８】
上記光学的な領域毎に分離する仕切壁を備え、
上記光検出用導光板が上記仕切壁を貫通して設けられていることを特徴とする請求項１記載のバックライト装置。
【請求項９】
上記光検出用導光板の長手方向の両端に設けられた各光量センサ部にそれぞれ各色の光量センサを備えることを特徴とする請求項１記載のバックライト装置。
【請求項１０】
上記制御手段は、上記光検出用導光板の長手方向を２等分して、遠方側に位置する上記グルーピングされた上記複数の単色光源が出射する複数色の光を検出するように、上記光検出用導光板の長手方向の両端に設けられた各光量センサ部にそれぞれ備えられた各色の光量センサを稼働して、上記光学的な領域毎の光を上記各色の光量センサにより順次検出し、上記各色の光量センサによる検出出力に基づいて、上記光学的な領域毎に上記グルーピングされた上記複数の単色光源が出射する複数色の光の光量バランスを制御することを特徴とする請求項１記載のバックライト装置。
【請求項１１】
上記制御手段は、上記光検出用導光板の長手方向を２等分して、近方側に位置する上記グルーピングされた上記複数の単色光源が出射する複数色の光を検出するように、上記光検出用導光板の長手方向の両端にそれぞれ設けられた各色の光量センサを稼働して、上記光学的な領域毎の光を上記各色の光量センサにより順次検出し、上記各色の光量センサによる検出出力に基づいて、上記光学的な領域毎に上記グルーピングされた上記複数の単色光源が出射する複数色の光の光量バランスを制御することを特徴とする請求項１記載のバックライト装置。
【請求項１２】
上記光検出用導光板には、上記各色の光量センサから離れるほど採光効率を高めた上記採光部が上記光学的な領域毎に設けられていることを特徴とする請求項１１記載のバックライト装置。
【請求項１３】
上記光学的な領域毎に形状を変えて上記採光効率を異ならしめた上記採光部が設けられていることを特徴とする請求項１２記載のバックライト装置。
【請求項１４】
上記光学的な領域毎に数を変えて上記採光効率を異ならしめた上記採光部が設けられていることを特徴とする請求項１２記載のバックライト装置。
【請求項１５】
カラー表示パネルと、このカラー表示パネルを背面側から照明するバックライト装置からなるカラー画像表示装置であって、
上記バックライト装置は、複数の単色光源からの色の異なる光を混合してカラー表示パネルに照射する複合光源からなり、上記複数の単色光源が任意の数毎にグルーピングされた光学的な領域を複数箇所有する光源部と、上記光源部の上記光学的な領域を横断するように配置され、上記光学的な領域に対応して少なくとも１つの採光部が設けられた光学的に透明で長尺な板状の光検出用導光板と、上記光検出用導光板の長手方向の少なくとも一方の端面に設けられた各色の光量センサと、上記光学的な領域毎の光を上記各色の光量センサにより順次検出し、上記各色の光量センサによる検出出力に基づいて、上記光学的な領域毎に上記グルーピングされた上記複数の単色光源が出射する複数色の光の光量バランスを制御する制御手段とを備えることを特徴とするカラー画像表示装置。